(57)【要約】【課題】小型軽量の携帯用ペイントボールの発射用具を提供する。【解決手段】発射用具１０は、本体１、中空のシリンダー２、及び収容部３を備える。本体１はトリガー４を設ける。シリンダー２は、本体１の一方の端部に配置され、ペイントボール２ｐを保持している。収容部３は、本体１の他方の端部に配置され、高圧ガスが充填されたガスボンベ３ｇが装着されている。発射用具１０は、略筒状に形成されており、トリガー４を操作して高圧ガスを噴射させてペイントボール２ｐを発射させる。発射用具１０は、発射スイッチ４１の押動操作を阻止するスライド可能な安全装置５を備える。【選択図】図１
2009024887.tif 000002
【特許請求の範囲】
【請求項１】
トリガーを設ける本体と、
この本体の一方の端部に配置されてペイントボールを保持する中空のシリンダーと、
前記本体の他方の端部に配置されて高圧ガスが充填されたガスボンベが装着される収容部と、を備え、
前記トリガーを操作して前記高圧ガスを噴射させて前記ペイントボールを発射させる略筒状に形成されたペイントボールの発射用具。
【請求項２】
前記本体、前記シリンダー、及び前記収容部は、同軸上に直列配置されている請求項１記載のペイントボールの発射用具。
【請求項３】
前記本体は、前記シリンダーと前記収容部とを連通して前記高圧ガスが噴射される通路と、この通路に配置される圧縮コイルばねと、この圧縮コイルばねに付勢されて前記ガスボンベの頭部の封板を圧壊する突先を一方の端部に設ける筒状のピストン部材と、前記突先が前記ガスボンベの頭部の封板から離間した状態を維持できるように先端部が前記ピストン部材の外周に設けられた段差に係止し、基端部が前記トリガーに連結するロックピンと、を有し、
前記シリンダーは、前記本体の一方の端部に着脱自在に接続する接続部と、この接続部と相反する向きに開口されて前記ペイントボールが発射される発射口と、を有し、
前記収容部は、前記ガスボンベの底部側を密封可能に着脱するボンベキャップを有し、
前記トリガーは、押動操作することにより前記ロックピンを前記ピストン部材の段差から解除する揺動可能な発射スイッチを有する請求項１又は２記載のペイントボールの発射用具。
【請求項４】
前記発射スイッチの押動操作を阻止する安全装置を更に備え、
この安全装置は、前記発射スイッチの両翼を囲うように配置されて前記本体の軸方向にスライド可能な解除スライダと、この解除スライダの両翼に相反する向きに配置される一対の解除ボタンと、を有し、
前記一対の解除ボタンを互いに近接するように押動すると、前記解除スライダとの連結を解除して当該解除スライダを一方の方向にスライドでき、前記発射スイッチの押動操作を可能とする請求項３記載のペイントボールの発射用具。
【請求項５】
前記シリンダーは、前記発射口に向けて開口して前記ペイントボールの直径以下に僅かに縮径した直円柱の貫通穴と、この貫通穴から前記接続部に向けて直円錐体に拡径して前記ペイントボールの発射位置を固定する保持穴と、を有する請求項３又は４記載のペイントボールの発射用具。
【請求項６】
前記本体は、前記圧縮コイルばねを介してピストン部材と対向して保持される円板を内部に備え、
この円板は、前記ペイントボールの中心に向けて前記高圧ガスを通気させる第１通気手段と、前記ペイントボールの所定直径の円周に向けて前記高圧ガスを略均等の噴射力で通気させる第２通気手段と、を有する請求項３から５のいずれかに記載のペイントボールの発射用具。
【請求項７】
前記ボンベキャップは、吊り下げ可能な吊り下げ穴を端部に有する請求項３から６のいずれかに記載のペイントボールの発射用具。
【請求項８】
前記本体は、合成樹脂製の内筒と、この内筒が内蔵される薄肉の金属外筒と、を備える請求項１から７のいずれかに記載のペイントボールの発射用具。
【請求項９】
前記内筒は、中心線に沿って半分に分割された半円弧状の第１及び第２分割円筒で構成される請求項８記載のペイントボールの発射用具。
【請求項１０】
直径が略３ｃｍ及び全長が略１８ｃｍ以上、略２０ｃｍ以下の筒状に形成された請求項１から９のいずれかに記載のペイントボールの発射用具。
【請求項１１】
総重量が２００ｇ以下である請求項１から１０のいずれかに記載のペイントボールの発射用具。
【発明の詳細な説明】
【技術分野】
【０００１】
本発明は、ペイントボールの発射用具に関する。特に、強盗などの犯罪者が逃走したときに、逃走犯人に向けて、ペイントボールを発射するペイントボールの発射用具の構造に関する。
【背景技術】
【０００２】
例えば、店舗などに押し入った強盗に対して、店員を含む一般人が過剰な威嚇行動で強盗に立ち向かうことは、被害が身体に及ぶ危険性があり避けるべきである。しかし、逃走する犯人や逃走車両に対して、ペイントボールを投げ付けて、逃走犯人の衣類や逃走車両にペイントボールに内包された塗料を付着（マーキング）できれば、その後の警察などによる犯人逮捕の手掛かりとすることができる。
【０００３】
一般に、ペイントボールを投げて、逃走する犯人や逃走車両に命中させることは、到達距離も限られ、容易ではないという不具合があった。このような不具合に対して、操作に不慣れな者でも容易に操作でき、咄嗟に使用する場合でも命中率の高い安価なペイントボールの発射用具が考案されている（例えば、特許文献１参照）。
【０００４】
特許文献１によるペイントボールの発射用具は、ペイントボールが発射される発射シリンダー部材を発射口が前方となるように配置し、ペイントボールの発射源となるガスボンベを発射シリンダー部材の後方に配置し、トリガーを操作してペイントボールを発射させる。
【０００５】
特許文献１によるペイントボールの発射用具は、発射用シリンダーと平行にレーザポインターを配置し、円筒状のグリップ部材の内部にガスボンベを格納している。又、発射シリンダー部材とグリップ部材との間に、ピストン収納部材を設けている。ピストン収納部材には、トリガーを操作したときにガスボンベを破断する突先を有するピストンと、ピストンをガスボンベに衝突させるスプリングとが同軸に収納されている。そして、レーザポインターのスイッチを操作して逃走者などの目的物にレーザ光を照射して目的物に狙いを定め、その後トリガーを操作してペイントボールを発射させる。
【特許文献１】登録実用新案第３１０５５９６号公報
【発明の開示】
【発明が解決しようとする課題】
【０００６】
特許文献１によるペイントボールの発射用具は、逃走者などの目的物にレーザ光を照射して目的物に狙いを定めることができるので、高い精度で目的物に命中させることができる。又、特許文献１によるペイントボールの発射用具は、発射シリンダー部材を一対に並行配置しており、つまり、２個のペイントボールを同時に発射でき、目的物に命中する確率を高くできる。
【０００７】
しかし、特許文献１によるペイントボールの発射用具は、レーザポインター、及び二つの発射シリンダー部材を備えているので、その外形を大きなものとしている。又、特許文献１によるペイントボールの発射用具は、２個のペイントボールを同時に発射するために、及び、ペイントボールの到達距離を延ばすために、トリガーを操作したときの反動を抑制するようにその重量を重くしている。
【０００８】
ここで、ペイントボールの発射用具を小型軽量にできれば、つまり、携帯用ペイントボールの発射用具が実現できれば、咄嗟の場合に直ちに使用できる。例えば、逃走者又は逃走車両が遠くに行かない内に、ペイントボールを発射することも可能であり、むしろ、命中率がよくなるとも考えられる。又、携帯用ということであれば、持ち運びが容易であり、不測の事態に備えてバッグなどに携帯できる。そして、以上のことが本発明の課題といってよい。
【０００９】
本発明は、このような問題に鑑みてなされたものであり、特許文献１によるペイントボールの発射用具が有する構造の利点を活かしつつ、小型軽量の携帯用ペイントボールの発射用具を提供することを目的とする。
【課題を解決するための手段】
【００１０】
本発明者は、筒形に形成される本体の一方の端部にペイントボールが発射されるシリンダーを設け、この本体の他方の端部からペイントボールを発射させるガスボンベを装着し、本体の外周に設けられたトリガーを操作してペイントボールを発射させる簡易な構造とすることにより、ペイントボールの発射用具を小型軽量にできることを見出し、これに基づいて、以下のような新たな携帯用ペイントボールの発射用具を発明するに至った。
【００１１】
（１）  トリガーを設ける本体と、この本体の一方の端部に配置されてペイントボールを保持する中空のシリンダーと、前記本体の他方の端部に配置されて高圧ガスが充填されたガスボンベが装着される収容部と、を備え、前記トリガーを操作して前記高圧ガスを噴射させて前記ペイントボールを発射させる略筒状に形成されたペイントボールの発射用具。
【００１２】
（１）の発明によるペイントボールの発射用具は、本体、中空のシリンダー、及び収容部を備えている。本体はトリガーを設けている。シリンダーは、本体の一方の端部に配置され、ペイントボールを保持している。収容部は、本体の他方の端部に配置され、高圧ガスが充填されたガスボンベが装着されている。（１）の発明によるペイントボールの発射用具は、略筒状に形成されており、トリガーを操作して高圧ガスを噴射させてペイントボールを発射させる。
【００１３】
例えば、ペイントボールは、直径が約１７ｍｍの市販のペイントボールを使用できる。一般に、ペイントボールは、薄いゼラチン製のカプセルの中に着色インクを充填しており、目標物にペイントボールを当てるとその衝撃で外殻のカプセルが割れて、充填された着色インクが飛散して目標物に着色ペイントを付着できる。
【００１４】
又、例えば、ガスボンベは、全長×胴径が約６４ｍｍ×約１８ｍｍの市販のガスカートリッジを使用できる。このガスカートリッジは、液化されたＣＯ２を充填しており、頭部を封止している封板を圧壊することにより、気化された高圧ガスを噴射できる。
【００１５】
ここで、トリガーを外部から操作すると、本体内部のメカニズムによって、ガスボンベの高圧ガスを噴射させる。携帯用の発射用具ということであれば、トリガーは、本体から余り突出しない構造が好ましい。
【００１６】
例えば、（１）の発明によるペイントボールの発射用具は、トリガーを除く外径が約３ｃｍの円筒状に形成されてよく、全長が約１８ｃｍに形成されてよく、片手で把持できる程度に小型化しているので、逃走者又は逃走車両が遠くに行かない内に、ペイントボールを発射することも可能である。
【００１７】
（２）  前記本体、前記シリンダー、及び前記収容部は、同軸上に直列配置されている（１）記載のペイントボールの発射用具。
【００１８】
（２）の発明によるペイントボールの発射用具は、本体、シリンダー、及び収容部を同軸上に直列配置した筒状に形成されているで、構成を簡易にできて、持ち運びが容易であり、不測の事態に備えてバッグなどに携帯できる。
【００１９】
（３）  前記本体は、前記シリンダーと前記収容部とを連通して前記高圧ガスが噴射される通路と、この通路に配置される圧縮コイルばねと、この圧縮コイルばねに付勢されて前記ガスボンベの頭部の封板を圧壊する突先を一方の端部に設ける筒状のピストン部材と、前記突先が前記ガスボンベの頭部の封板から離間した状態を維持できるように先端部が前記ピストン部材の外周に設けられた段差に係止し、基端部が前記トリガーに連結するロックピンと、を有し、前記シリンダーは、前記本体の一方の端部に着脱自在に接続する接続部と、この接続部と相反する向きに開口されて前記ペイントボールが発射される発射口と、を有し、前記収容部は、前記ガスボンベの底部側を密封可能に着脱するボンベキャップを有し、前記トリガーは、押動操作することにより前記ロックピンを前記ピストン部材の段差から解除する揺動可能な発射スイッチを有する（１）又は（２）記載のペイントボールの発射用具。
【００２０】
（３）の発明によるペイントボールの発射用具は、本体が、通路、圧縮コイルばね、筒状のピストン部材、及びロックピンを有している。通路は、シリンダーと収容部とを連通しており、高圧ガスが噴射される。圧縮コイルばねは、通路に配置されている。ピストン部材は、突先を一方の端部に設けており、圧縮コイルばねに付勢されて、突先がガスボンベの頭部の封板を圧壊する。ロックピンの先端部は、ピストン部材の外周に設けられた段差に係止している。そして、突先がガスボンベの頭部の封板から離間した状態を維持できる。ロックピンの基端部は、トリガーに連結している。
【００２１】
又、（３）の発明によるペイントボールの発射用具は、シリンダーは、接続部と発射口を有している。接続部は、本体の一方の端部に着脱自在に接続する。発射口は、接続部と相反する向きに開口されて、ペイントボールが発射される。収容部は、ボンベキャップを有している。ボンベキャップは、ガスボンベの底部側を密封可能に着脱できる。トリガーは、揺動可能な発射スイッチを有している。発射スイッチを押動操作することにより、ロックピンをピストン部材の段差から解除できる。
【００２２】
ここで、通路は、本体の軸方向に貫通してよく、一方の開口がシリンダーに保持されたペイントボールで封止されてよく、他方の開口が収容部に装着されたガスボンベで封止されている。ガスボンベを開封すると、高圧ガスが通路内に噴射されて、ペイントボールを発射できる。
【００２３】
圧縮コイルばねは、本体の軸方向に伸縮してよく、通路に配置されている。圧縮コイルばねは、突先を設けるピストン部材をそのばね弾性力で瞬間移動させるべく機能する。線材を螺旋状に巻回した圧縮コイルばねは、内部に空洞を有し、外周に間隙を設けているので、高圧ガスの噴射力を容易に減衰させないという利点がある。
【００２４】
例えば、ピストン部材は、略円筒状に形成されてよく、一方の端部の中心に先端が鋭利にカットされた突先を設けている。ピストン部材の外周には、ロックピンの先端部に係止する切り欠かれた段差を設けている。ピストン部材の内部は空洞でよく、この空洞に圧縮コイルばねの一部又は大部分を収容してもよい。
【００２５】
軸方向に延びるレールを通路の内部に設けてよく、このレールに案内される溝をピストン部材の外周に設けてよく、ピストン部材が通路の内部で回転することを防止できる。ここで、ピストン部材は、通路に規制されて進退運動のみが許容される。
【００２６】
通常は、ロックピンの先端部がピストン部材の段差に係止して、突先がガスボンベの頭部の封板から離間した状態を維持している。この待機状態では、圧縮コイルばねが圧縮されている。そして、発射スイッチを押動操作すると、ロックピンがピストン部材の段差から解除されて、ピストン部材をガスボンベに向けて付勢できる。つまり、突先がガスボンベの頭部の封板を圧壊できる。
【００２７】
収容部には、移動したピストン部材が停止する停止壁をガスボンベの頭部の周囲に形成することが好ましく、ピストン部材の停止位置が規定される。ピストン部材が停止壁で停止されたときに、圧縮コイルばねがそのばね圧を残すように構成されることが好ましい。
【００２８】
例えば、シリンダーの接続部には、雄ねじ部を設けてよく、本体の一方の端部には、雌ねじ部を設けてよく、シリンダーを本体に着脱自在に螺合できる。シリンダーの外径と本体の外径とは、略一致することが好ましく、シリンダーの接続部と本体の一方の端部との間には、リング状のパッキンを設けて気密封止されることが好ましい。
【００２９】
同様に、ボンベキャップには、雄ねじ部を設けてよく、本体の他方の端部には、雌ねじ部を設けてよく、ボンベキャップを本体に着脱自在に螺合できる。ボンベキャップの外径と本体の外径とは、略一致することが好ましく、ボンベキャップと本体の一方の端部との間には、リング状のパッキンを設けよく、気密封止（密閉）される。ボンベキャップは、高圧ガスが噴射されたときのガスボンベの反動を抑止すべく機能する。
【００３０】
発射スイッチは、例えば、「てこ」の原理を応用したシーソースイッチでよく、支点を中心に揺動できる。ここで、発射スイッチの一方の端部を作用点としてよく、ロックピンの基端部と回動可能に連結している。発射スイッチの他方の端部を力点としてよく、発射スイッチの他方の端部を押動操作すると、発射スイッチの一方の端部が持ち上げられて、つまり、ロックピンの先端部がピストン部材の段差から引き上げられる（解除される）。
【００３１】
発射スイッチの他方の端部には、初期の状態に復帰させる圧縮コイルばねなどの付勢部材を設けてよく、滑り防止のための筋目ローレットを表面に形成してもよい。
【００３２】
（３）の発明によるペイントボールの発射用具は、ペイントボール及びガスボンベの装着が大変容易となっている。又、要望に応じて長さの異なるシリンダーと交換することもできる。長いシリンダーは、命中率が向上するが携帯に不便であるという点もある。
【００３３】
又、（３）の発明によるペイントボールの発射用具は、片手で本体を把持でき、親指で発射スイッチを押すだけで、ペイントボールを発射できるという利点がある。
【００３４】
（４）  前記発射スイッチの押動操作を阻止する安全装置を更に備え、この安全装置は、前記発射スイッチの両翼を囲うように配置されて前記本体の軸方向にスライド可能な解除スライダと、この解除スライダの両翼に相反する向きに配置される一対の解除ボタンと、を有し、前記一対の解除ボタンを互いに近接するように押動すると、前記解除スライダとの連結を解除して当該解除スライダを一方の方向にスライドでき、前記発射スイッチの押動操作を可能とする（３）記載のペイントボールの発射用具。
【００３５】
（４）の発明によるペイントボールの発射用具は、発射スイッチの押動操作を阻止する安全装置を更に備えている。安全装置は、解除スライダと一対の解除ボタンを有している。解除スライダは、発射スイッチの両翼を囲うように配置されて、本体の軸方向にスライドできる。一対の解除ボタンは、解除スライダの両翼に相反する向きに配置されている。
【００３６】
そして、（４）の発明によるペイントボールの発射用具は、一対の解除ボタンを互いに近接するように押動すると、解除スライダを一方の方向にスライドでき、発射スイッチの押動操作を可能とする。
【００３７】
例えば、一対の解除ボタンが解除スライダの両翼から突出した状態では、本体に対して解除スライダが一方の方向にスライドできないように、阻止部材を発射スイッチと一対の解除ボタンの間に介在してよく、この状態、すなわち安全装置が機能している状態では、阻止部材が発射スイッチの力点と本体との間に介在されるので、発射スイッチの押動操作が阻止される。
【００３８】
一対の解除ボタンを互いに近接するように押動すると、相対的に阻止部材が移動して発射スイッチと一対の解除ボタンとの阻止関係を解除してよく、解除スライダを一方の方向にスライドできる。そして、解除スライダを一方の方向に完全にスライドすると、発射スイッチの力点と本体との間に阻止部材が介在されなくなるので、発射スイッチの押動操作が可能となる。
【００３９】
例えば、特許文献１によるペイントボールの発射用具は、リングにピンを連結した安全ピンを本体から引き抜く構成が容易な安全装置を提供している。一方、（４）の発明によるペイントボールの発射用具は、本体から安全ピンが突出しない安全装置を構成しているので、携帯に便利である。又、（４）の発明によるペイントボールの発射用具に備わる安全装置は、一対の解除ボタンを押さない限り、つまり一方の解除ボタンを押しただけでは、ペイントボールを発射できないので、落下させるなど不用意な操作に対して、ペイントボールの誤発射を防止できる。
【００４０】
（５）  前記シリンダーは、前記発射口に向けて開口して前記ペイントボールの直径以下に僅かに縮径した直円柱の貫通穴と、この貫通穴から前記接続部に向けて直円錐体に拡径して前記ペイントボールの発射位置を固定する保持穴と、を有する（３）又は（４）記載のペイントボールの発射用具。
【００４１】
例えば、直円柱の貫通穴の直径は、公差の範囲内でペイントボールの直径以下に僅かに縮径してよく、保持穴に保持されたペイントボールは、重量が軽く外周の摩擦抵抗で容易に脱落しない。シリンダーの保持穴は、一端の開口がペイントボールの直径以上に拡径しているのでペイントボールの保持が容易である。
【００４２】
（６）  前記本体は、前記圧縮コイルばねを介してピストン部材と対向して保持される円板を内部に備え、この円板は、前記ペイントボールの中心に向けて前記高圧ガスを通気させる第１通気手段と、前記ペイントボールの所定直径の円周に向けて前記高圧ガスを略均等の噴射力で通気させる第２通気手段と、を有する（３）から（５）のいずれかに記載のペイントボールの発射用具。
【００４３】
（６）の発明によるペイントボールの発射用具は、本体が円板を内部に備えている。円板は、圧縮コイルばねを介してピストン部材と対向して保持されている。そして、円板は、第１及び第２通気手段を有している。第１通気手段は、ペイントボールの中心に向けて高圧ガスを通気させる。第２通気手段は、ペイントボールの所定直径の円周に向けて、高圧ガスを略均等の噴射力で通気させる。
【００４４】
第１通気手段は円形開口であってよく、第２通気手段は、円形開口であってよく、外周に向けて切り欠かれた切り欠きであってもよい。ここで、ペイントボールの所定直径の円周に向けて、高圧ガスを略均等の噴射力で通気させる第２通気手段を円板に設けることにより、発射されたペイントボールの直進性が向上することが実証できた。発射されたペイントボールが回転しないことにより、ペイントボールの周囲に発生する空気抵抗の差による軌道変動が抑制されるためと考えられる。
【００４５】
（７）  前記ボンベキャップは、吊り下げ可能な吊り下げ穴を端部に有する（３）から（６）のいずれかに記載のペイントボールの発射用具。
【００４６】
（７）の発明によるペイントボールの発射用具は、吊り下げ穴を有しているので、壁などに吊り下げることができて咄嗟の場合に便利である。又、ストラップを介して、壁などに吊り下げることもできる。
【００４７】
（８）  前記本体は、合成樹脂製の内筒と、この内筒が内蔵される薄肉の金属外筒と、を備える（１）から（７）のいずれかに記載のペイントボールの発射用具。
【００４８】
（８）の発明によるペイントボールの発射用具は、合成樹脂製の内筒と、この内筒が内蔵される薄肉の金属外筒と、を備えて構成されているので軽量化できる。シリンダー及びボンベキャップを合成樹脂で構成すれば、更に軽量化できて好ましく、金属外筒はアルミニウム合金のパイプからなることが好ましい。
【００４９】
（９）  前記内筒は、中心線に沿って半分に分割された半円弧状の第１及び第２分割円筒で構成される（８）記載のペイントボールの発射用具。
【００５０】
（９）の発明によるペイントボールの発射用具は、内筒が、第１及び第２分割円筒で構成されるので組み立てが容易となる。金属外筒は、シリンダーに接続する第１外筒と、ボンベキャップに接続する第２外筒とに分割してよく、更に組み立てが容易となる。
【００５１】
（９）  前記内筒は、中心線に沿って半分に分割された半円弧状の第１及び第２分割円筒で構成される（８）記載のペイントボールの発射用具。
【００５２】
（９）の発明によるペイントボールの発射用具は、内筒が、第１及び第２分割円筒で構成されるので組み立てが容易となる。金属外筒は、シリンダーに接続する第１外筒と、ボンベキャップに接続する第２外筒とに分割してよく、更に組み立てが容易となる。
【００５３】
（１０）  直径が略３ｃｍ及び全長が略１８ｃｍ以上、略２０ｃｍ以下の筒状に形成された（１）から（９）のいずれかに記載のペイントボールの発射用具。
【００５４】
例えば、携帯される伸縮可能な特殊警棒は、最も縮めた全長が略１７ｃｍである。ここで、（１０）の発明によるペイントボールの発射用具は、その全長が好ましくは、略１８ｃｍ以上、略２０ｃｍ以下であってよく、より好ましくは、略１８ｃｍであってよく、１７ｃｍに近似することが携帯する上で最も好ましい。全長が１７ｃｍより短くなると、本体を把持することが容易でなくなると考えられる。
【００５５】
（１１）  総重量が２００ｇ以下である（１）から（１０）のいずれかに記載のペイントボールの発射用具。
【００５６】
例えば、ガスボンベの重量は、３２ｇである。ここで、（１１）の発明によるペイントボールの発射用具は、その実質的な重量が１６８ｇ以下の軽量の発射用具を実現できる。
【発明の効果】
【００５７】
本発明によるペイントボールの発射用具は、筒形に形成される本体の一方の端部にペイントボールが発射されるシリンダーを設け、この本体の他方の端部からペイントボールを発射させるガスボンベを装着し、本体の外周に設けられたトリガーを操作してペイントボールを発射させる簡易な構造とすることにより、ペイントボールの発射用具を小型軽量にできる。又、本発明によるペイントボールの発射用具は、携帯に便利である。
【発明を実施するための最良の形態】
【００５８】
以下、図面を参照して本発明を実施するための最良の形態を説明する。
【００５９】
図１は、本発明によるペイントボールの発射用具（以下、発射用具と略称する）の一実施形態を示す斜視外観図である。図２は、前記実施形態による発射用具の正面図である。図３は、前記実施形態による発射用具の平面図である。図４は、前記実施形態による発射用具の縦断面図であり、図２のＡ−Ａ矢視断面図である。図５は、前記実施形態による発射用具の横断面図であり、図２のＢ−Ｂ矢視断面図である。
【００６０】
図６は、前記実施形態による発射用具に備わるトリガーの横断面図であり、安全装置が発射スイッチの押動操作を阻止している状態図である。図７は、前記実施形態による発射用具に備わるトリガーの横断面図であり、安全装置が解除された状態図である。図８は、前記実施形態による発射用具の縦断面図であり、安全装置が発射スイッチの押動操作を阻止している状態図である。図９は、前記実施形態による発射用具の縦断面図であり、安全装置が解除された状態図である。図１０は、前記実施形態による発射用具の縦断面図であり、ペイントボールが発射された状態図である。
【００６１】
最初に本発明による発射用具の構成を説明する。図１から図５において、発射用具１０は、本体１、中空のシリンダー２、及び収容部３を備えている。本体１は、トリガー４を設けている。シリンダー２は、本体１の一方の端部に配置され、ペイントボール２ｐを保持している。収容部３は、本体１の他方の端部に配置され、高圧ガスが充填されたガスボンベ３ｇが装着されている。
【００６２】
図１から図５において、発射用具１０は、本体１、シリンダー２、及び収容部３を同軸上に直列配置した筒状に形成されている。発射用具１０は、トリガー４を操作して高圧ガスを噴射させて、ペイントボール２ｐを発射することができる。
【００６３】
図４又は図５において、本体１は、通路１１、圧縮コイルばね１２、筒状のピストン部材１３、及びロックピン１４を有している。通路１１は、シリンダー２と収容部３とを連通しており、ガスボンベ３ｇの高圧ガスが噴射される。
【００６４】
図４又は図５において、通路１１は、本体１の軸方向に貫通しており、一方の開口がシリンダー２に保持されたペイントボール２ｐで封止されている。又、通路１１の他方の開口は、収容部３に装着されたガスボンベ３ｇで封止されている。ガスボンベ３ｇが開封されると、高圧ガスが通路１１内に噴射されて、ペイントボール２ｐを発射できる。
【００６５】
図４又は図５において、圧縮コイルばね１２は、通路１１に配置されている。圧縮コイルばね１２は、本体１の軸方向に伸縮できるように通路１１に配置されている。圧縮コイルばね１２は、突先１３ａを設けるピストン部材１３をそのばね弾性力で瞬間移動させるべく機能する。
【００６６】
図４又は図５において、ピストン部材１３は、突先１３ａを一方の端部に設けており、圧縮コイルばね１２に付勢されて、突先１３ａがガスボンベ３ｇの頭部の封板ｇ１を圧壊できる。ピストン部材１３は、略円筒状に形成されており、一方の端部の中心に先端が鋭利にカットされた突先１３ａを設けている。ピストン部材１３の外周には、ロックピン１４の先端部１４ａに係止する、切り欠かれた段差１３ｂを設けている。ピストン部材１３の内部は空洞となっており、この空洞に圧縮コイルばね１２の一部が収容されている。
【００６７】
図４又は図５において、通路１１の内部には、軸方向に延びるレール１１ｒが設けられている。一方、ピストン部材１３の外周には、レール１１ｒに案内される溝（図示せず）が設けられている。そして、ピストン部材１３が通路１１の内部で回転することを防止できる。したがって、ピストン部材１３は、通路１１に規制されて進退運動のみが許容される。
【００６８】
図４に示されるように、通常は、ロックピン１４の先端部１４ａがピストン部材１３の段差１３ｂに係止して、突先１３ａがガスボンベ３ｇの頭部の封板ｇ１から離間した状態を維持している。この待機状態では、圧縮コイルばね１２が圧縮されている。そして、発射スイッチ４１を押動操作すると、ロックピン１４がピストン部材１３の段差１３ｂから解除されて、ピストン部材１３をガスボンベ３ｇに向けて付勢できる。つまり、突先１３ａがガスボンベ３ｇの頭部の封板ｇ１を圧壊できる（図５参照）。
【００６９】
図４において、ロックピン１４の先端部１４ａは、ピストン部材１３の外周に設けられた段差１３ｂに係止している。そして、突先１３ａがガスボンベ３ｇの頭部の封板ｇ１から離間した状態を維持できる。ロックピン１４の基端部１４ｂは、トリガー４に連結している。
【００７０】
図４又は図５において、シリンダー２は、接続部２１と発射口２２を有している。接続部２１は、本体１の一方の端部に着脱自在に接続できる。発射口２２は、接続部２１と相反する向きに開口されており、ペイントボール２ｐが発射される（図１０参照）。
【００７１】
図４又は図５において、収容部３は、ボンベキャップ３１を有している。ボンベキャップ３１は、ガスボンベ３ｇの底部側を密封可能に着脱できる。トリガー４は、揺動可能な発射スイッチ４１を有している。発射スイッチ４１を押動操作することにより、ロックピン１４をピストン部材１３の段差１３ｂから解除できる。
【００７２】
図４又は図５において、収容部３には、移動したピストン部材１３が停止する停止壁３２をガスボンベ３ｇの頭部の周囲に形成しており、ピストン部材１３の停止位置が規定される。ピストン部材１３が停止壁３２で停止されたときに、圧縮コイルばね１２がそのばね圧を残すように構成されている。
【００７３】
図４又は図５において、シリンダー２の接続部２１には、雄ねじ部２１ｍが設けられている。本体１の一方の端部には、雌ねじ部１ｆが設けてられている。そして、シリンダー２を本体１に着脱自在に螺合できる。シリンダー２の外径と本体１の外径とは、略一致するように形成されている（図１から図３参照）。シリンダー２の接続部２１と本体１の一方の端部との間には、リング状のパッキン１ｐを設けて気密封止されている。
【００７４】
同様に、図４又は図５において、ボンベキャップ３１には、雄ねじ部３１ｍが設けられており、本体１の他方の端部には、雌ねじ部３ｆが設けられている。そして、ボンベキャップ３１を本体１に着脱自在に螺合できる。ボンベキャップ３１１の外径と本体１の外径とは、略一致するように形成されている（図１から図３参照）。ボンベキャップ３１と本体１の一方の端部との間には、リング状のパッキンｐ２を設けられており、気密封止されている。ボンベキャップ３１は、高圧ガスが噴射されたときのガスボンベ３ｇの反動を抑止すべく機能する。
【００７５】
図１から図５において、発射用具１０は、発射スイッチ４１の押動操作を阻止する安全装置５を更に備えている。安全装置５は、解除スライダ５１と一対の解除ボタン５２a・５２ｂを有している。解除スライダ５１は、発射スイッチ４１の両翼を囲うように配置されており、本体１の軸方向にスライドできる。一対の解除ボタン５２a・５２ｂは、解除スライダ５１の両翼に相反する向きに配置されている。
【００７６】
図１から図５において、発射用具１０は、一対の解除ボタン５２a・５２ｂを互いに近接するように押動すると、解除スライダ５１を一方の方向にスライドでき、発射スイッチ４１の押動操作を可能としている。
【００７７】
次に、構成を補足しつつ、本発明による発射用具の動作又は作用を説明する。図８から図１０において、発射スイッチ４１は、「てこ」の原理を応用したシーソースイッチでよく、支点Ｑを中心に揺動できる。ここで、支点Ｑは、本体１の外周から隆起した凸部１ｔの横方向に貫通する第１係止穴と、発射スイッチ４１の両翼から突出した一対のフランジ４１ｔ・４１ｔに設けられた第２係止穴と、第１及び第２係止穴を軸支するビス（図示せず）とで構成されている。図１には、このビスのねじ部と螺合するナット１ｎが見えている。
【００７８】
図８から図１０において、発射スイッチ４１の一方の端部を作用点としてよく、ロックピン１４の基端部１４ｂと回動可能に連結している。発射スイッチ４１の他方の端部を力点としてよく、発射スイッチ４１の他方の端部を押動操作すると、発射スイッチ４１の一方の端部が持ち上げられる。
【００７９】
図８から図１０において、ロックピン１４の基端部１４ｂは、一対の棒状の突出片（図示せず）が両翼から突出するようにＴ字状に形成されている。一方、発射スイッチ４１の一方の端部の底面には、前記一対の突出片の底面側から係合する一対の鉤片４１ｓ・４１ｓが設けられている。発射スイッチ４１の他方の端部を押動操作すると、一対の鉤片４１ｓ・４１ｓがロックピン１４を引き上げて、ロックピン１４の先端部１４ａがピストン部材１３の段差１３ｂから引き上げられる（解除される）。
【００８０】
図８から図１０において、発射スイッチ４１の他方の端部には、初期の状態に復帰させる圧縮コイルばね１ｓが設けてられている。圧縮コイルばね１ｓに代えて、板ばねなどの付勢部材を使用してもよい。発射スイッチ４１の他方の端部には、押動操作するときの滑りを防止するために、筋目ローレット４１ｎが形成されている（図１参照）。
【００８１】
次に、本発明による安全装置の動作又は作用を説明する。図６において、一対の解除ボタン５２ａ・５２ｂが解除スライダ５１の両翼から突出した状態では、本体１に対して一対の解除ボタン５２ａ・５２ｂが一方の方向にスライドできないように、一対の阻止部材４１ａ・４１ｂを発射スイッチ４１と一対の解除ボタン５２ａ・５２ｂの間に介在している。一対の阻止部材４１ａ・４１ｂは、発射スイッチ４１の上面から本体１の外周に向かって突出している。
【００８２】
図６又は図８に示された状態では、すなわち、安全装置５が機能している状態では、一対の阻止部材４１ａ・４１ｂが発射スイッチ４１の力点と本体１との間に介在されるので、発射スイッチ４１の押動操作が阻止される。
【００８３】
図７において、一対の解除ボタン５２ａ・５２ｂを互いに近接するように押動すると、相対的に一対の阻止部材４１ａ・４１ｂが移動して、発射スイッチ４１と一対の解除ボタン５２ａ・５２ｂとの阻止関係が解除される。つまり、一対の解除ボタン５２ａ・５２ｂに設けられた一対の凹部５２ｃ・５２ｄが一対の阻止部材４１ａ・４１ｂに移動するので、発射スイッチ４１と一対の解除ボタン５２ａ・５２ｂとの阻止関係が解除される。
【００８４】
図７及び図９に示されるように、解除スライダ５１を一方の方向に完全にスライドすると、発射スイッチ４１の力点と本体１との間に一対の阻止部材４１ａ・４１ｂが介在されなくなるので、発射スイッチ４１の押動操作が可能となる。
【００８５】
なお、図６又は図７において、安全装置５には、一対の解除ボタン５２ａ・５２ｂを互いに離反する方向に付勢する圧縮コイルばね５２ｓが設けられている。又、安全装置５には、解除スライダ５１をスライドしたときに、一方の停止位置と他方の停止位置をそのクリック感で規定する一対のピン５２ｐ・５２ｐが設けられている。更に、安全装置５には、解除スライダ５１をその内部でスライド可能に案内するガイド板５３を、本体１に固定している。
【００８６】
本発明によるペイントボールの発射用具は、本体から安全ピンが突出しない安全装置を構成しているので、携帯に便利である。又、本発明によるペイントボールの発射用具に備わる安全装置は、一対の解除ボタンを押さない限り、つまり一方の解除ボタンを押しただけでは、ペイントボールを発射できないので、落下させるなど不用意な操作に対して、ペイントボールの誤発射を防止できる。
【００８７】
続いて、本発明による発射用具の特徴的な構成及び作用を説明する。図１０において、シリンダー２は、発射口２２に向けて開口して、ペイントボール２ｐの直径以下に僅かに縮径した直円柱の貫通穴２ａと、貫通穴２ａから接続部２１に向けて直円錐体に拡径してペイントボール２ｐの発射位置を固定する保持穴２ｂと、を有している。
【００８８】
図１０において、直円柱の貫通穴２ａの直径は、公差の範囲内でペイントボール２ｐの直径以下に僅かに縮径してよく、保持穴２ｂに保持されたペイントボール２ｐは、重量が軽く外周の摩擦抵抗で容易に脱落しない。又、シリンダー２の保持穴２ｂは、一端の開口がペイントボール２ｐの直径以上に拡径しているので、ペイントボール２ｐの保持が容易である。
【００８９】
図２又は図１０において、本体１は、円板１５を内部に備えている。円板１５は、圧縮コイルばね１２を介してピストン部材１３と対向して保持されている。そして、円板１５は、第１及び第２通気手段となる円形開口１５ａ・１５ｂを有している。第１通気手段となる円形開口１５ａは、ペイントボール２ｐの中心に向けて高圧ガスを通気させる。第２通気手段となる円形開口１５ｂは、ペイントボール２ｐの所定直径の円周に向けて、高圧ガスを略均等の噴射力で通気させる。
【００９０】
図２又は図１０において、ペイントボール２ｐの所定直径の円周に向けて、高圧ガスを略均等の噴射力で通気させる第２通気手段を円板１５に設けることにより、発射されたペイントボール２ｐの直進性が向上することが実証できた。発射されたペイントボール２ｐが回転しないことにより、ペイントボール２ｐの周囲に発生する空気抵抗の差による軌道変動が抑制されるためと考えられる。
【００９１】
図１において、ボンベキャップ３１は、吊り下げ可能な吊り下げ穴３１ｈを端部に有している。発射用具１０は、吊り下げ穴３１ｈを有しているので、壁などに吊り下げることができて、咄嗟の場合に便利である。又、ストラップを介して、壁などに吊り下げることもできる。
【００９２】
図９において、本体１は、合成樹脂製の内筒１ｃと、内筒１ｃが内蔵される薄肉の金属外筒１ｄと、を備えている。発明による発射用具１０は、合成樹脂製の内筒１ｃと、内筒１ｃが内蔵される薄肉の金属外筒１ｄと、を備えて構成されているので軽量化できる。シリンダー２及びボンベキャップ３１を合成樹脂で構成すれば、更に軽量化できて好ましく、金属外筒１ｄは、アルミニウム合金のパイプからなることが好ましい。例えば、発射用具１０を総重量が２００ｇ以下の軽量にすることも可能である。
【００９３】
更に、図９において、内筒１ｃは、中心線に沿って半分に分割された半円弧状の第１及び第２分割円筒１ａ・１ｂで構成されている。発明による発射用具１０は、内筒１ｃが、第１及び第２分割円筒１ａ・１ｂで構成されるので組み立てが容易となる。金属外筒１ｄは、シリンダー２に接続する第１外筒ｃ１と、ボンベキャップ３１に接続する第２外筒ｃ２とに分割してよく、更に組み立てが容易となる（図１参照）。
【００９４】
本発明によるペイントボールの発射用具１０は、略筒状に形成されており、トリガー４を操作して高圧ガスを噴射させてペイントボール２ｐを発射させる（図１０参照）。先端が開口された棒状の押し出しジグ（図示せず）を用いて、圧縮コイルばね１２を圧縮すれば、初期の状態に復帰でき、次の発射に対応できる（図１参照）。
【００９５】
例えば、ペイントボールは、直径が約１７ｍｍの市販のペイントボールを使用できる。又、ガスボンベは、全長×胴径が約６４ｍｍ×約１８ｍｍの市販のガスカートリッジを使用できる。
【００９６】
本実施の形態によるペイントボールの発射用具は、トリガーを除く外径が約３ｃｍの円筒状に形成されてよく、全長が約１８ｃｍに形成されてよく、片手で把持できる程度に小型化しているので、逃走者又は逃走車両が遠くに行かない内に、ペイントボールを発射することも可能である。本実施の形態によるペイントボールの発射用具は、約１５ｍの有効射程距離を確保できる。
【００９７】
本発明によるペイントボールの発射用具は、筒形に形成される本体の一方の端部にペイントボールが発射されるシリンダーを設け、この本体の他方の端部からペイントボールを発射させるガスボンベを装着し、本体の外周に設けられたトリガーを操作してペイントボールを発射させる簡易な構造とすることにより、ペイントボールの発射用具を小型軽量にできる。又、本発明によるペイントボールの発射用具は、携帯に便利である。
【図面の簡単な説明】
【００９８】
【図１】本発明によるペイントボールの発射用具の一実施形態を示す斜視外観図である。
【図２】前記実施形態によるペイントボールの発射用具の正面図である。
【図３】前記実施形態によるペイントボールの発射用具の平面図である。
【図４】前記実施形態によるペイントボールの発射用具の縦断面図であり、図２のＡ−Ａ矢視断面図である。
【図５】前記実施形態によるペイントボールの発射用具の横断面図であり、図２のＢ−Ｂ矢視断面図である。
【図６】前記実施形態によるペイントボールの発射用具に備わるトリガーの横断面図であり、安全装置が発射スイッチの押動操作を阻止している状態図である。
【図７】前記実施形態によるペイントボールの発射用具に備わるトリガーの横断面図であり、安全装置が解除された状態図である。
【図８】前記実施形態によるペイントボールの発射用具の縦断面図であり、安全装置が発射スイッチの押動操作を阻止している状態図である。
【図９】前記実施形態によるペイントボールの発射用具の縦断面図であり、安全装置が解除された状態図である。
【図１０】前記実施形態によるペイントボールの発射用具の縦断面図であり、ペイントボールが発射された状態図である。
【符号の説明】
【００９９】
１  本体
２  シリンダー
２ｐ  ペイントボール
３  収容部
３ｇ  ガスボンベ
４  トリガー
５  安全装置
１０  発射用具（ペイントボールの発射用具）
【図１】
2009024887.tif 000003
【図２】
2009024887.tif 000004
【図３】
2009024887.tif 000005
【図４】
2009024887.tif 000006
【図５】
2009024887.tif 000007
【図６】
2009024887.tif 000008
【図７】
2009024887.tif 000009
【図８】
2009024887.tif 000010
【図９】
2009024887.tif 000011
【図１０】
2009024887.tif 000012